(57)【特許請求の範囲】
【請求項１】
マンホールの蓋用フック留め金具にフック留め金具側落下防止装置受け金物を取り付けし、前記マンホールのタラップにタラップ側落下防止装置を取り付けし、前記フック留め金具側落下防止装置受け金物と前記タラップ側落下防止装置に親蓋用落下防止装置兼補助梯子、子蓋用落下防止装置兼補助梯子と外周安全補助装置を取り付け出来る事を特徴とする
マンホールの蓋を開けた時の落下防止装置兼補助梯子用中蓋
【請求項２】
前記マンホールの子蓋が開いた時、前記子蓋用落下防止装置兼補助梯子が、有効となり、前記子蓋用落下防止装置兼補助梯子を引き起こして、梯子として使用し、前記マンホールの親蓋が開いた時、前記子蓋用落下防止装置兼補助梯子と前記親蓋用落下防止装置兼補助梯子が、有効となり、前記子蓋用落下防止装置兼補助梯子か前記親蓋用落下防止装置兼補助梯子の何れかを引き起こして、梯子として使用出来る事を特徴とする請求項１に記載の
マンホールの蓋を開けた時の落下防止装置兼補助梯子用中蓋
【発明の詳細な説明】
【技術分野】
【０００１】
円形マンホールには、蓋が1枚の物と、2枚の物が有ります。2枚式の物は、通常親子蓋と言います。
【背景技術】
【０００２】
通常の点検は、子蓋を開けて行います。メンテナンス作業やポンプ入替え作業の時に親蓋を開けます。
【０００３】
子蓋を開けた時は、孔が小さいし、マンホールの出入りもそんなに恐怖感は、有りません。
【０００４】
親蓋を開けると大きな孔が出現します。暗くて大きな孔で、異物の異臭等も有りますし、恐怖感を覚えます。
【０００５】
マンホールの蓋を開けた時の恐怖感を緩和するために、いろんな安全対策品が作られてきました。
【０００６】
特開2009-256877号は、マンホール用の落下防止兼補助梯子用中蓋が、述べられています。
【０００７】
特開2004-3270号は、マンホール用落下防止装置が述べられています。
【先行技術文献】
【特許文献】
【０００８】
【特許文献１】特開2009-256877号
【特許文献２】特開2004-3270号
【発明の概要】
【発明が解決しようとする課題】
【０００９】
マンホールの蓋を開けた時の落下防止装置の安全性をもっと高める。
【００１０】
親子フタ式のマンホールにおいて、子蓋を開けた時の落下防止は、特開2009-256877号のマンホール用の落下防止兼補助梯子用中蓋が、ほとんどのマンホールに付いているので、落下防止と梯子装置による昇降が、万全と考えられます。    
【００１１】
ところが、親蓋を開けると、子蓋と特開2009-256877号のマンホール用の落下防止兼補助梯子用中蓋が、一緒に付いて行ってしまうので、落下防止装置も梯子もなくなり、マンホールの大きな孔が、出現します。非常に恐怖感が高まります。親子蓋式マンホールで、親蓋を開けた時でも、落下防止装置が存在し、落下から守ってくれ、マンホール槽内への昇降もスムーズに行える梯子が、存在するようにする事が課題です。
【課題を解決するための手段】
【００１２】
マンホールの内部の上部にタラップが、有ります。タラップと真反対の位置の上部にフック留め金具がどのマンホールにも付いています。マンホールの蓋と干渉しない、マンホールの蓋の直ぐ下に、落下防止用中蓋を取り付けます。
子蓋を開けた時に、下に子蓋用落下防止装置兼補助梯子が現れ、落下防止します。引き起こせば、梯子となり、安全に昇降出来ます。親蓋を開ければ、今までの、何もない状態でいきなり孔が出現するのでなく、親蓋用落下防止装置兼補助梯子、子蓋用落下防止装置兼補助梯子と外周安全補助装置が出現します。子蓋用落下防止装置兼補助梯子でも親蓋用落下防止装置兼補助梯子でも、引き起こせば、安全に昇降出来ます。親蓋用落下防止装置兼補助梯子、子蓋用落下防止装置兼補助梯子と外周安全補助装置は、いずれも、簡単に取り外しが出来ます。              
【００１３】
マンホールの蓋用フック留め金具にフック留め金具側落下防止装置受け金物を取り付けし、前記マンホールのタラップにタラップ側落下防止装置を取り付けし、前記フック留め金具側落下防止装置と前記タラップ側落下防止装置に親蓋用落下防止装置兼補助梯子、子蓋用落下防止装置兼補助梯子と外周安全補助装置を取り付け出来る事を特徴とします。
【００１４】
前記マンホールの子蓋が開いた時、前記子蓋用落下防止装置兼補助梯子が、有効となり、前記子蓋用落下防止装置兼補助梯子を引き起こして、梯子として使用し、前記マンホールの親蓋が開いた時、前記子蓋用落下防止装置兼補助梯子と前記親蓋用落下防止装置兼補助梯子が、有効となり、前記子蓋用落下防止装置兼補助梯子か前記親蓋用落下防止装置兼補助梯子の何れかを引き起こして、梯子として使用出来る事を特徴とします。
【発明の効果】
【００１５】
親蓋を開いた時の恐怖感が消え、安心して作業が出来るようになる。作業の状況で邪魔になる時は、外し、必要な時に取り付けて、作業を安全に進めるように出来る。
【図面の簡単な説明】
【００１６】
【図１】現在の蓋と落下防止装置の梯子兼用イメージ図
【図２】現在の子蓋と落下防止装置の梯子兼用イメージ図
【図３】現在の落下防止装置を開き、梯子兼用イメージ図
【図４】現在の親子蓋を開いたイメージ図
【図５】新しい落下防止装置、梯子兼用イメージ図
【図６】新しい落下防止装置、子蓋を開けたイメージ図
【図７】新しい落下防止装置、子蓋用梯子兼用イメージ図
【図８】新しい落下防止装置、親蓋を開けたイメージ図
【図９】新しい落下防止装置、子蓋用梯子兼用イメージ図
【図１０】新しい落下防止装置、親蓋用梯子兼用イメージ図
【図１１】新しい落下防止装置、外周安全補助材イメージ図
【符号の説明】
【００１７】
１            マンホール親蓋
２            マンホール子蓋
３            現在の落下防止兼補助梯子用中蓋
４            蓋用フック留め金具
５            タラップ
６            フック留め金具側落下防止装置受け金物
７            親蓋用落下防止装置兼補助梯子        
８            子蓋用落下防止装置兼補助梯子
９            タラップ側落下防止装置
１０          外周安全補助装置
【発明を実施するための形態】
【００１８】
以下、本発明の実施の形態を図に基づいて説明する。
図１は、現在のマンホールの蓋の部分のイメージ図です。親子蓋のマンホールで、タラップ側の子蓋２側に現在の落下防止兼補助梯子用中蓋３が、付いています。真反対に蓋用フック留め金具が、付いています。図２は、子蓋２を開けたところ、図３は、現在の落下防止兼補助梯子用中蓋３を引き起こして梯子にしています。図４は、親蓋を開けた所です。親蓋を開けるときに子蓋の現在の落下防止兼補助梯子用中蓋３が、付いて行ってしまい、マンホールの大きな孔が存在し、何の落下防止装置も有りません。非常に危険な状態です。しかし、毎日、この状況は、発生していますので、安全な対策が急がれています。
【００１９】
図５は、新しい落下防止装置、梯子兼用イメージ図です。図６は、新しい落下防止装置、子蓋を開けたイメージ図です。図７は、新しい落下防止装置、子蓋用梯子兼用イメージ図で、子蓋用落下防止装置８を引き起こしています。図８は、新しい落下防止装置、親蓋を開けたイメージ図です。マンホールの蓋用フック留め金具４にフック留め金具側落下防止装置受け金物６を取り付けし、前記マンホールのタラップ５にタラップ側落下防止装置９を取り付けし、前記フック留め金具側落下防止装置６と前記タラップ側落下防止装置９に親蓋用落下防止装置兼補助梯子７、子蓋用落下防止装置兼補助梯子８と外周安全補助装置１０を取り付け出来る事を特徴とします。
【００２０】
図９は、新しい落下防止装置、子蓋用梯子兼用イメージ図で、親蓋を開け、子蓋用落下防止装置８を引き起こしています。図１０は、新しい落下防止装置、親蓋用梯子兼用イメージ図で、親蓋を開け、親蓋用落下防止装置兼補助梯子７と子蓋用落下防止装置兼補助梯子８を引き起こしています。前記マンホールの子蓋が開いた時、前記子蓋用落下防止装置兼補助梯子が、有効となり、前記子蓋用落下防止装置兼補助梯子を引き起こして、梯子として使用し、前記マンホールの親蓋が開いた時、前記子蓋用落下防止装置兼補助梯子と前記親蓋用落下防止装置兼補助梯子が、有効となり、前記子蓋用落下防止装置兼補助梯子か前記親蓋用落下防止装置兼補助梯子の何れかを引き起こして、梯子として使用出来る事を特徴とします。    
【００２１】
図１１は、新しい落下防止装置、外周安全補助装置１０イメージ図です。            親蓋用落下防止装置兼補助梯子７、子蓋用落下防止装置兼補助梯子８と          外周安全補助装置１０は、任意のときに取り外しが出来ます。
【要約】 
【課題】
親子蓋式マンホールで、親蓋を開けた時でも、落下防止装置が存在し、落下から守ってくれ、マンホール槽内への昇降もスムーズに行える梯子が、存在するようにする事が課題です。
【解決手段】  
マンホールの内部の上部にタラップが、有ります。タラップと真反対の位置の上部にフック留め金具がどのマンホールにも付いています。マンホールの蓋と干渉しない、マンホールの蓋の直ぐ下に、落下防止用中蓋を取り付けます。
子蓋を開けた時に、下に子蓋用落下防止装置兼補助梯子が現れ、落下防止します。引き起こせば、梯子となり、安全に昇降出来ます。親蓋を開ければ、今までの、何もない状態でいきなり孔が出現するのでなく、親蓋用落下防止装置兼補助梯子、子蓋用落下防止装置兼補助梯子と外周安全補助装置が出現します。
【選択図】  図８【図１】
0005636547.tif 000002
【図２】
0005636547.tif 000003
【図３】
0005636547.tif 000004
【図４】
0005636547.tif 000005
【図５】
0005636547.tif 000006
【図６】
0005636547.tif 000007
【図７】
0005636547.tif 000008
【図８】
0005636547.tif 000009
【図９】
0005636547.tif 000010
【図１０】
0005636547.tif 000011
【図１１】
0005636547.tif 000012